(57)【要約】【課題】  電子機器の電池室に収納される電池の逆装填を確実に使用者に認識させ、電池や電池室等の破損を防止する。【解決手段】  電池逆装填報知機構は、電池の外面に電池室への装填方向に沿って形成された凹凸部と、電子機器の電池室に隣接する領域において、電池の逆装填時に凹凸部が通過する位置に設けられ、電池の装填方向の直角方向に回動軸を有する可動部と、可動部の一端側を電池室内に向けて付勢する付勢部材と、可動部の一端側に設けられ、電池の逆装填時に凹凸部と順次接触する凸部と、可動部に隣接して設けられ、電池の逆装填による凹凸部と凸部との衝突により電池側および反電池側に回動を繰り返す可動部の一部と接触して振動音を発生する振動部とを備えて構成される。電池の逆装填時に、振動部から振動音が発生するため、電池の逆装填を使用者に確実に認識させることができる。【選択図】      図１
2005197077.tif 000002
【特許請求の範囲】
【請求項１】
電子機器の電池室に収納される電池の逆装填を報知する電池逆装填報知機構であって、
前記電池の外面に前記電池室への装填方向に沿って形成された凹凸部と、
前記電子機器の前記電池室に隣接する領域において、前記電池が逆装填されたときに前記凹凸部が通過する位置に設けられ、前記電池の装填方向の直角方向に回動軸を有する可動部と、
前記可動部の一端側を前記電池室内に向けて付勢する付勢部材と、
前記可動部の一端側に設けられ、前記電池が逆装填されたときに前記凹凸部と順次接触する凸部と、
前記可動部に隣接して設けられ、前記電池の逆装填による前記凹凸部と前記凸部との衝突により電池側および反電池側に回動を繰り返す前記可動部の一部と接触して振動音を発生する振動部とを備えていることを特徴とする電池逆装填報知機構。
【請求項２】
請求項１記載の電池逆装填報知機構において、
前記凸部は、前記可動部における前記回動軸より前記電池室の装填口側の位置で、前記電池が装填されたときに前記電池の反装填方向の外面に接触し、前記電池の反装填方向への移動を規制する位置に設けられていることを特徴とする電池逆装填報知機構。
【請求項３】
請求項１記載の電池逆装填報知機構において、
前記電池は、前記電池室に正しく装填されたときに、前記凸部に接触する位置に設けられた電極端子を備え、
前記凸部は、導電部材で形成され、電池接点を兼ねていることを特徴とする電池逆装填報知機構。
【請求項４】
請求項１記載の電池逆装填報知機構において、
前記電池は、断面矩形状であり、前記電池室への装填方向に平行な互いに対向する外面における装填方向に沿う４つの辺部のうち、３つの辺部に沿ってそれぞれ前記凹凸部を備え、
前記可動部は、前記電池が正しく装填されたときに、前記凹凸部が形成されていない辺部に対応する位置に設けられていることを特徴とする電池逆装填報知機構。
【請求項５】
電子機器の電池室に収納される電池の逆装填を報知する電池逆装填報知機構であって、
前記電池の外面に表出して設けられた正電極端子および負電極端子と、
前記電池室内において、前記電池が逆装填されたときに、前記正および負電極端子にそれぞれ接触する位置に設けられた第１および第２電池接点と、
前記電子機器内に設けられ、前記第１および第２電池接点に接続され、前記電池の逆装填により前記正および負電極端子が前記第１および第２電池接点にそれぞれ接触したときに、前記電池の電荷を利用して前記電池の逆装填を報知する報知部とを備えていることを特徴とする電池逆装填報知機構。
【請求項６】
請求項５記載の電池逆装填報知機構において、
前記報知部は、前記電池の電荷を利用して報知音を発生させる報知音発生部と、前記電池の電荷を利用して発光する発光部との少なくともいずれかを備えていることを特徴とする電池逆装填報知機構。
【請求項７】
請求項５記載の電池逆装填報知機構において、
前記正および負電極端子は、前記電池の装填方向の中心軸に対して、互いに非対称な位置に設けられ、
前記電池室は、前記電池が正しく装填されたときに、前記正および負電極端子にそれぞれ接触する位置に設けられた第３および第４電池接点を備え、
前記電子機器は、前記正および負電極端子が前記第１および第２電池接点にそれぞれ接触したときに、前記電池および前記報知部との間で直列に接続されるとともに、前記正および負電極端子が前記第３および第４電池接点にそれぞれ接触したときに、充電するために前記電池と並列に接続されるコンデンサを備えていることを特徴とする電池逆装填報知機構。
【発明の詳細な説明】
【技術分野】
【０００１】
本発明は、電子機器の電池室に収納される電池の逆装填を報知する電池逆装填報知機構に関する。
【背景技術】
【０００２】
電子機器の電源として使用される電池は、一次電池（使い捨て電池）と二次電池（充電式電池）とに大別され、多種多様な形状の電池が存在する。特に、パック電池等の二次電池については、電子機器の製品仕様に合わせて、端子形状、端子位置および外観形状等が変更されている。このため、電子機器の使用者は、電池の装填方向をよく確認して電池を装填する必要があるが、例えば、暗所で電池を装填する場合に、電池の装填方向を確認できず、電池を逆装填してしまうことがある。
【０００３】
電池の逆装填を防止するための技術として、例えば、特許文献１では、逆装填時に電池室内の凸部との接触により電池の挿入を阻止する突起を外面に設けたパック電池が開示されている。また、特許文献２では、電池室を覆うための電池蓋に電池の長さを間隔として突起を形成し、電池室内に直列に収納された電池の隙間に電池蓋の突起が入るか否かにより、電池装填の正誤を判定する電池の誤装填防止装置が開示されている。
【特許文献１】特開平９−５５１９６号公報
【特許文献２】特開平１０−３３４８６８号公報
【発明の開示】
【発明が解決しようとする課題】
【０００４】
しかしながら、特許文献１、２では、電子機器の使用者が電池の逆装填を認識し難い。このため、強い力で押さえ込むなどして無理やり電池を装填しようとすると、電池や電池室、電池蓋等が破損してしまったり、電池が電池室内で引っ掛かり取り出せなくなってしまう恐れがあった。
本発明は、このような従来の問題点に鑑みてなされたものであり、電子機器の電池室に収納される電池の逆装填を使用者に確実に認識させ、電池や電池室等の破損を防止することを目的とする。
【課題を解決するための手段】
【０００５】
請求項１の電池逆装填報知機構は、電子機器の電池室に収納される電池の逆装填を報知する電池逆装填報知機構であって、電池の外面に電池室への装填方向に沿って形成された凹凸部と、電子機器の電池室に隣接する領域において、電池が逆装填されたときに凹凸部が通過する位置に設けられ、電池の装填方向の直角方向に回動軸を有する可動部と、可動部の一端側を電池室内に向けて付勢する付勢部材と、可動部の一端側に設けられ、電池が逆装填されたときに凹凸部と順次接触する凸部と、可動部に隣接して設けられ、電池の逆装填による凹凸部と凸部との衝突により電池側および反電池側に回動を繰り返す可動部の一部と接触して振動音を発生する振動部とを備えていることを特徴とする。
【０００６】
請求項２の電池逆装填報知機構では、凸部は、可動部における回動軸より電池室の装填口側の位置で、電池が装填されたときに電池の反装填方向の外面に接触し、電池の反装填方向への移動を規制する位置に設けられている。
請求項３の電池逆装填報知機構では、電池は、電池室に正しく装填されたときに、凸部に接触する位置に設けられた電極端子を備えている。凸部は、導電部材で形成され、電池接点を兼ねている。
【０００７】
請求項４の電池逆装填報知機構では、電池は、断面矩形状であり、電池室への装填方向に平行な互いに対向する外面における装填方向に沿う４つの辺部のうち、３つの辺部に沿ってそれぞれ凹凸部を備えている。可動部は、電池が正しく装填されたときに、凹凸部が形成されていない辺部に対応する位置に設けられている。
請求項５の電池逆装填報知機構は、電子機器の電池室に収納される電池の逆装填を報知する電池逆装填報知機構であって、電池の外面に表出して設けられた正電極端子および負電極端子と、電池室内において、電池が逆装填されたときに、正および負電極端子にそれぞれ接触する位置に設けられた第１および第２電池接点と、電子機器内に設けられ、第１および第２電池接点に接続され、電池の逆装填により正および負電極端子が第１および第２電池接点にそれぞれ接触したときに、電池の電荷を利用して電池の逆装填を報知する報知部とを備えていることを特徴とする。
【０００８】
請求項６の電池逆装填報知機構では、報知部は、電池の電荷を利用して報知音を発生させる報知音発生部と、電池の電荷を利用して発光する発光部との少なくともいずれかを備えている。
請求項７の電池逆装填報知機構では、正および負電極端子は、電池の装填方向の中心軸に対して、互いに非対称な位置に設けられている。電池室は、電池が正しく装填されたときに、正および負電極端子にそれぞれ接触する位置に設けられた第３および第４電池接点を備えている。電子機器は、正および負電極端子が第１および第２電池接点にそれぞれ接触したときに、電池および報知部との間で直列に接続されるとともに、正および負電極端子が第３および第４電池接点にそれぞれ接触したときに、充電するために電池と並列に接続されるコンデンサを備えている。
【発明の効果】
【０００９】
請求項１の電池逆装填報知機構では、電池が逆装填されたときに、可動部の一部と振動部との接触に伴う振動音の発生により、電池の逆装填を使用者に確実に認識させることができる。また、電池の逆装填を防止する突起等の構造を設ける必要がなくなるため、電池の逆装填に伴う電池、電池室等の破損を防止できる。
請求項２の電池逆装填報知機構では、凸部は、電池が装填されたときに電池の反装填方向の外面に接触するため、電池の電池室からの抜けを防止できる。このため、凸部とは別に、電池を電池室内側に押さえ込む機構を設けた場合に比べて、部品コストを削減できる。
【００１０】
請求項３の電池逆装填報知機構では、凸部が電池接点を兼ねているため、これらを個別に設けた場合に比べて、部品コストを削減できる。
請求項４の電池逆装填報知機構では、電池は、３つの辺部に沿ってそれぞれ凹凸部を有しているため、電池がいかなる向きで逆装填されても、可動部の一部と振動部との接触に伴う振動音を発生させることができ、電池の逆装填を使用者に確実に認識させることができる。すなわち、電池逆装填報知機構の信頼性を向上させることができる。
【００１１】
請求項５および請求項６の電池逆装填報知機構では、電池が逆装填されたときに、報知音発生部による報知音の発生や発光部の発光などにより電池の逆装填が報知されるため、電池の逆装填を使用者に確実に認識させることができる。また、電池の逆装填を防止する突起等の構造を設ける必要がなくなるため、電池の逆装填に伴う電池、電池室等の破損を防止できる。
【００１２】
請求項７の電池逆装填報知機構では、電池が逆装填されたときに、報知部は電池およびコンデンサの双方の電荷を利用することができる。このため、電池の電荷が残っていない場合でも、電池交換前に充電されたコンデンサの電荷の利用により、電池の逆装填を使用者に確実に認識させることができる。このため、電子機器の使用者は、電池の逆装填および電池切れのどちらに起因して、電子機器が動作しないかを容易に判別できる。
【発明を実施するための最良の形態】
【００１３】
以下、図面を用いて本発明の実施形態を説明する。
図１は、本発明の電池逆装填報知機構の第１の実施形態を示している。
電池逆装填報知機構１００は、電子機器１０２の電池室１０４への電池１０６（充電式パック電池）の逆装填を報知するための機構であり、電池１０６の側面に電池室１０２への装填方向に沿って設けられた断面三角刃状の凹凸部１０８、電池室１０４の側面に隣接する領域１１０に設けられた可動部１１２、付勢部材１１４および振動部１１６から構成されている。
【００１４】
電池１０６は、ぼぼ直方体形状（断面矩形状）であり、前面（電池室１０２への装填方向の外面）に表出して設けられた正電極端子１０６ａおよび負電極端子１０６ｂを有している。正電極端子１０６ａおよび負電極端子１０６ｂは、電池１０６の装填方向の中心軸Ａに対して、互いに非対称な位置に設けられている。また、電池室１０４は、電池１０６が順装填されたとき（正しく装填されたとき）に、正電極端子１０６ａおよび負電極端子１０６ｂにそれぞれ接触する位置に設けられた電池接点１０４ａ、１０４ｂを有している。従って、電池１０６が逆装填されたときに、正電極端子１０６ａおよび負電極端子１０６ｂが電池接点１０４ｂおよび電池接点１０４ａにそれぞれ接触することはない。すなわち、電極端子の逆接続が生じることはない。
【００１５】
領域１１０は、電池１０６が逆装填されたときに凹凸部１０８が通過する位置に対向して設けられている。可動部１１２は、回動軸１１２ａを挿通する穴（図示せず）を後端側に有しており、領域１１０内で回動自在に固定されている。回動軸１１２ａは、領域１１０内で、電池１０６の装填方向の直角方向（電池室１０４の装填口１０４ｃの短辺方向）に延在している。
【００１６】
凸部１１２ｂは、可動部１１２の先端側（回動軸１１２ａより電池室１０４の装填口１０４ｃ側）を電池室１０４内側に折曲して一体形成され、電池１０６が逆装填されたときに凹凸部１０８の山部分および谷部分と順次接触する。凸部１１２ｂは、電池１０６が装填されたときに電池１０６の後面１０６ｃ（反装填方向の外面）に接触する位置に設けられている。衝突片１１２ｃは、可動部１１２の一部として、例えば、金属板で形成されており、可動部１１２の後端側に接着されて凸部１１２ｂとは反対側に延在している。衝突片１１２ｃは、その先端を電池室１０４外側に折り返して形成されている。
【００１７】
付勢部材１１４は、ばね性を有する線材を回動軸１１２ａの外周に沿って巻回して形成され、その一端を可動部１１２における電池室１０４とは反対側の外面に引っ掛けた状態で配置されている。すなわち、付勢部材１１４は、ばね力により凸部１１２ｂを電池室１０４内に向けて付勢する。凸部１１２ｂは、付勢部材１１４により付勢された状態で、その一部が電池室１０４内に突出している。
【００１８】
振動部１１６は、例えば、金属板を折曲加工して形成されており、衝突片１１２ｃの先端に対応する位置に設けられている。振動部１１６は、電池１０６の逆装填による凹凸部１０８と凸部１１２ｂとの衝突に伴って、衝突片１１２ｃの先端と接触して振動音を発生する。
ここで、電池逆装填報知機構１００の動作について、電池が順装填された場合と逆装填された場合とに分けて説明する。
【００１９】
図２は、電池１０６が順装填された場合の電池逆装填報知機構１００の動作を示している。
図２の上側に示すように、電池１０６が電池室１０４に順装填されると、凸部１１２ｂは、電池１０６の凹凸部１０８の形成面に対向する外面との接触により、電池室１０４外側に押圧された状態になる。このため、衝突片１１２ｃの先端と振動部１１６とが接触することはなく、振動音は発生しない。
【００２０】
そして、図２の下側に示すように、電池１０６の装填が完了したときに、凸部１１２ｂは、付勢部材１１４のばね力により、電池１０６の後面１０６ｃに接触し、電池１０６の抜け（反装填方向への移動）を規制する。すなわち、凸部１１２ｂは、電池１０６を電池室１０４内側に押さえ込む電池押さえ機構としても機能する。
図３は、電池１０６が逆装填された場合の電池逆装填報知機構１００の動作を示している。
【００２１】
電池１０６が電池室１０４に逆装填されると、凸部１１２ｂは、付勢部材１１４のばね力により、凹凸部１０８の表面形状に沿って移動する。このため、可動部１１２は、電池室１０４内側および電池室１０４外側に回動を繰り返す。衝突片１１２ｃの先端は、凸部１１２ｂとは反対方向に移動するため、凸部１１２ｂが凹凸部１０８の谷部分と接触する毎に、振動部１１６と接触する。電子機器１０２の使用者は、衝突片１１２ｃの先端と振動部１１６との接触に伴って発生する振動音により、電池１０６の逆装填を認識し、電池１０６を正しく装填し直す。
【００２２】
以上、第１の実施形態では、次の効果が得られる。
電池１０６が逆装填されたときに、振動部１１６からの振動音により、電池１０６の逆装填を使用者に確実に認識させることができる。また、電池１０６の逆装填を防止する突起等の構造を設ける必要がなくなるため、電池１０６の逆装填に伴う電池１０６、電池室１０４等の破損を防止できる。また、凸部１１２ｂにより電池１０６の電池室１０４からの抜けを防止できるため、凸部１１２ｂとは別に、電池１０６を電池室１０４内側に押さえ込む機構を設けた場合に比べて、部品コストを削減できる。
【００２３】
図４は、本発明の電池逆装填報知機構の第２の実施形態を示している。なお、第１の実施形態で説明した要素と同一の要素については、同一の符号を付し、詳細な説明を省略する。
電池逆装填報知機構２００は、電子機器２０２の電池室１０４への電池１０６の逆装填を報知するための機構であり、電池１０６の側面に設けられた断面三角刃状の凹凸部１０８、電池室１０４の側面に隣接する領域２１０に設けられた可動部１１２、付勢部材１１４および振動部１１６から構成されている。
【００２４】
電池逆装填報知機構２００と第１の実施形態の電池逆装填報知機構１００との相違点は、可動部１１２、付勢部材１１４および振動部１１６が配置される領域の位置が異なる点である。領域２１０は、第１の実施形態の領域１１０より電池室１０４の奥側に設けられている。従って、電池１０６の電池室１０４への順装填が完了しても、凸部１１２ｂは電池押さえ機構として機能しないが、可動部１１２および付勢部材１１４と同様の構造を有する電池押さえ機構２２０を、電池室１０４の下面に隣接する領域２３０に設けることで対応できる。
【００２５】
以上、第２の実施形態でも、第１の実施形態と同様の効果が得られる。
図５は、本発明の電池逆装填報知機構の第３の実施形態を示している。なお、第１および第２の実施形態で説明した要素と同一の要素については、同一の符号を付し、詳細な説明を省略する。
電池逆装填報知機構３００は、電子機器３０２の電池室３０４への電池３０６の逆装填を報知するための機構であり、第２の実施形態の電池逆装填報知機構２００から電池接点１０４ａを除いて構成され、第１の実施形態の凸部１１２ｂに代えて凸部３１２ｂを有している。電池逆装填報知機構３００のその他の構成は、第２の実施形態の電池逆装填報知機構２００と同一である。また、電池３０６は、電池室１０４への順装填が完了したときに、凸部３１２ｂと接触する位置に設けられた正電極端子３０６ａを有している。電池３０６のその他の構成は、第１の実施形態の電池１０６と同一である。
【００２６】
凸部３１２ｂは、可動部１１２における電池室３０４の装填口３０４ｃ側に延在し、導電性を有する金属版の先端側を電池室３０４内側に折り曲げ、さらに折り返して形成されている。また、凸部３１２ｂは、リード線３１２ｄを介して電子機器の内部回路と電気的に接続されている。
以上、第３の実施形態でも、第１の実施形態と同様の効果が得られる。さらに、凸部３１２ｂは電池接点としても機能するため、これらを個別に設けた場合に比べて、部品コストを削減できる。
【００２７】
図６は、本発明の電池逆装填報知機構の第４の実施形態を示している。なお、第１の実施形態で説明した要素と同一の要素については、同一の符号を付し、詳細な説明を省略する。
電池逆装填報知機構４００は、電子機器４０２の電池室１０４への電池４０６の逆装填を報知するための機構であり、電池４０６の側面に形成された凹凸部４０８ａ〜４０８ｃ、電池室１０４に隣接する領域１１０に設けられた可動部１１２、付勢部材１１４および振動部１１６から構成されている。すなわち、電池逆装填報知機構４００と第１の実施形態の電池逆装填報知機構１００との相違点は、電池４０６の側面に、３つの凹凸部４０８ａ〜４０８ｃが形成されている点である。電池逆装填報知機構４００のその他の構成は、第１の実施形態の電池逆装填報知機構１００と同一である。
【００２８】
凹凸部４０８ａ〜４０８ｃは、電池４０６の両側面（電池室１０４への装填方向に平行な互いに対向する外面）における装填方向に沿う４つの辺部４３０ａ〜４３０ｄのうち、３つの辺部４３０ａ〜４３０ｃに沿ってそれぞれ形成されている。可動部１１２は、電池４０６が順装填されたときに、凹凸部が形成されていない辺部４３０ｄに対応する位置に設けられている。この構成により、電池４０６がいかなる向きで逆装填されても、凸部１１２ｂが凹凸部４０８ａ〜４０８ｃのいずれかと接触するため、振動部１１６から振動音が発生する。
【００２９】
以上、第４の実施形態でも、第１の実施形態と同様の効果が得られる。さらに、電池４０６が後面４０６ｃ（電極端子の形成面に対向する外面）から電池室に装填された場合でも、電池４０６の逆装填を電子機器４０２の使用者に確実に認識させることができる。
図７は、本発明の電池逆装填報知機構の第５の実施形態を示している。
電池逆装填報知機構５００は、デジタルカメラ５０２の電池室５０４への電池５０６（充電式パック電池）の逆装填を報知するための機構であり、電池５０６の前面（電池室５０４への装填方向の外面）に表出して設けられた正電極端子５０６ａおよび負電極端子５０６ｂ、電池室５０４内に設けられた第１電池接点５０４ａおよび第２電池接点５０４ｂ、デジタルカメラ５０２内に設けられた報知部５０８から構成されている。
【００３０】
正電極端子５０６ａおよび負電極端子５０６ｂは、電池５０６の装填方向の中心軸Ａに対して、互いに非対称な位置に設けられている。第１電池接点５０４ａおよび第２電池接点５０４ｂは、電池室５０４において、電池５０６が逆装填されたときに、正電極端子５０６ａおよび負電極端子５０６ｂにそれぞれ接触する位置に設けられている。また、電池室５０４は、第１電池接点５０４ａおよび第２電池接点５０４ｂとは別に、電池５０６が順装填されたときに、正電極端子５０６ａおよび負電極端子５０６ｂにそれぞれ接触する位置に設けられた第３電池接点５０４ｃおよび第４電池接点５０４ｄを有している。第３電池接点５０４ｃおよび第４電池接点５０４ｄは、デジタルカメラ５０２の全体を制御するカメラ制御回路５１０に接続されている。
【００３１】
報知部５０８は、スピーカ５０８ａ（報知音発生部）、ＬＥＤ（Light Emitting Diode；発光部）５０８ｂ、スピーカ５０８ａおよびＬＥＤ５０８ｂを制御する報知部制御回路５０８ｃから構成されている。ＬＥＤ５０８ｂは、デジタルカメラ５０２の外面に露出して配置されている。報知部制御回路５０８ｃは、第１電池接点５０４ａおよび第２電池接点５０４ｂに接続され、電池５０６の逆装填により正電極端子５０６ａおよび負電極端子５０６ｂが第１電池接点５０４ａおよび第２電池接点５０４ｂにそれぞれ接触したときに、電池５０６の電荷を利用して、スピーカ５０８ａを介して報知音を鳴らすとともに、ＬＥＤ５０８ｂを点灯させる。
【００３２】
ここで、電池逆装填報知機構５００の動作について、電池５０６が順装填された場合と逆装填された場合とに分けて説明する。
電池５０６が電池室５０４に順装填されると、正電極端子５０６ａおよび負電極端子５０６ｂは、第３電池接点５０４ｃおよび第４電池接点５０４ｄにそれぞれ接触する。すなわち、電池５０６は、カメラ制御回路５１０に接続される。このため、電池５０６の電荷がカメラ制御回路５１０に供給され、デジタルカメラ５０２は使用可能な状態になる。また、報知部制御回路５０８ｃには、電池５０６の電荷が供給されないため、スピーカ５０８ａからの報知音は鳴らず、ＬＥＤ５０８ｂは点灯しない。
【００３３】
一方、電池５０６が電池室５０４に逆装填されると、正電極端子５０６ａおよび負電極端子５０６ｂは、第１電池接点５０４ａおよび第２電池接点５０４ｂにそれぞれ接触する。すなわち、電池５０６は、報知部制御回路５０８ｃに接続される。このため、電池５０６の電荷が報知部制御回路５０８ｃに供給され、スピーカ５０８ａから報知音が鳴るとともに、ＬＥＤ５０８ｂが点灯する。これにより、デジタルカメラ５０２の使用者は、電池５０６の逆装填を認識し、電池５０６を正しく装填し直す。
【００３４】
以上、第５の実施形態でも、第１の実施形態と同様の効果が得られる。さらに、電池５０６が逆装填されたときにＬＥＤ５０８ｃが点灯するため、特に、暗所で電池を装填する場合に有効である。
図８は、本発明の電池逆装填報知機構の第６の実施形態を示している。なお、第５の実施形態で説明した要素と同一の要素については、同一の符号を付し、詳細な説明を省略する。
【００３５】
電池逆装填報知機構６００は、デジタルカメラ６０２の電池室５０４への電池５０６の逆装填を報知するための機構であり、第５の実施形態の電池逆装填報知機構５００に、デジタルカメラ６０２内でカメラ制御回路５１０に接続された閃光発光部６１２のメインコンデンサＣｍを加えて構成されている。第１電池接点５０４ａは、メインコンデンサＣｍを介して、報知部制御回路５０８ｃと接続されている。電池逆装填報知機構６００のその他の構成は、第５の実施形態の電池逆装填報知機構５００と同一である。
【００３６】
閃光発光部６１２は、放電管Ｘｅ、トリガトランスＴ、トリガコンデンサＣｔ、抵抗Ｒ、スイッチＳＷおよびメインコンデンサＣｍから構成される一般的な閃光発光回路である。閃光発光部６１２では、まず、メインコンデンサＣｍおよびトリガコンデンサＣｔが充電され、放電管Ｘｅの電極間にメインコンデンサＣｍの充電電圧と等しい電圧が印加される。そして、デジタルカメラ６０２のシャッター釦（図示せず）に連動してスイッチＳＷがオンすると、トリガコンデンサＣｔの電荷がトリガトランスＴを介して放電される。この際、トリガトランスＴの二次側では、数千ボルトの高電圧が発生し、放電管Ｘｅ内のガスの一部をイオン化して放電管Ｘｅ内の抵抗を下げることで、放電管Ｘｅが閃光発光する。
【００３７】
ここで、電池逆装填報知機構６００の動作について、電池５０６が順装填された場合と逆装填された場合とに分けて説明する。
電池５０６が電池室５０４に順装填されると、第５の実施形態と同様に、正電極端子５０６ａおよび負電極端子５０６ｂは、第３電池接点５０４ｃおよび第４電池接点５０４ｄにそれぞれ接触する。すなわち、電池５０６は、カメラ制御回路５１０に接続される。このため、電池５０６の電荷がカメラ制御回路５１０に供給され、デジタルカメラ６０２は使用可能な状態になる。すなわち、閃光発光部６１２において、メインコンデンサＣｍが充電される。また、報知制御回路５０８ｃには、電池５０６の電荷が供給されないため、スピーカ５０８ａからの報知音は鳴らず、ＬＥＤ５０８ｂは点灯しない。
【００３８】
一方、電池５０６が電池室５０４に逆装填されると、正電極端子５０６ａおよび負電極端子５０６ｂは、第１電池接点５０４ａおよび第２電池接点５０４ｂにそれぞれ接触する。すなわち、電池５０６は、メインコンデンサＣｍを介して、報知部制御回路５０８ｃに接続される。このため、電池５０６およびメインコンデンサＣｍの電荷が報知部制御回路５０８ｃに供給され、スピーカ５０８ａから報知音が鳴るとともに、ＬＥＤ５０８ｂが点灯する。すなわち、電池５０６に電荷が残っていない場合でも、スピーカ５０８ａからの報知音が鳴るとともに、ＬＥＤ５０８ｂが点灯する。なお、デジタルカメラ６０２から電池５０６を取り出す際に、メインコンデンサＣｍをフル充電しておくと、より効果的である。これにより、デジタルカメラ６０２の使用者は、電池５０６の逆装填を認識し、電池５０６を正しく装填し直す。
【００３９】
以上のようにして、電池５０６が電池室５０４に正しく装填されたにも拘わらず、デジタルカメラ６０２が動作しない場合、デジタルカメラ６０２の使用者は、電池５０６の逆装填ではなく、電池切れが原因であると判別する。
以上、第６の実施形態でも、第５の実施形態と同様の効果が得られる。さらに、電池５０６の電荷だけでなく、予め充電されたメインコンデンサＣｍの電荷を利用できるため、電池５０６に電荷が残っていない場合でも、電池５０６の逆装填を使用者に確実に認識させることができる。このため、デジタルカメラ６０２の使用者は、電池５０６の逆装填および電池切れのどちらに起因して、デジタルカメラ６０２が動作しないかを容易に判別できる。
【００４０】
なお、第１の実施形態（図１）では、凹凸部１０８が電池１０６の側面に設けられ、可動部１１２等が電池室１０４の側面に隣接する領域１１０に設けられた例について述べた。本発明は、かかる実施形態に限定されるものではない。例えば、図９に示すように、凹凸部１０９が電池１０７の上面に設けられ、可動部等が電池室１０４の下面に隣接する領域１１１に設けられた場合でも、同様の作用・効果が得られる。
【００４１】
第２の実施形態（図４）では、凹凸部１０８が電池１０６の側面に設けられ、可動部１１２等が電池室１０４の側面に隣接する領域２１０に設けられた例について述べた。本発明は、かかる実施形態に限定されるものではない。例えば、図１０に示すように、凹凸部１０９が電池１０７の上面に設けられ、可動部等が電池室１０４の下面に隣接する領域２１１に設けられた場合でも、同様の作用・効果が得られる。
【００４２】
第３の実施形態（図５）では、凹凸部１０８が電池３０６の側面に設けられ、可動部１１２等が電池室３０４の側面に隣接する領域２１０に設けられた例について述べた。本発明は、かかる実施形態に限定されるものではない。例えば、図１１に示すように、凹凸部１０９が電池３０７の上面に設けられ、可動部等が電池室３０４の下面に隣接する領域３１１に設けられた場合でも、同様の作用・効果が得られる。
【００４３】
第４の実施形態（図６）では、凹凸部４０８ａ〜４０８ｃが電池４０６の両側面にそれぞれ設けられ、可動部１１２等が電池室１０４の側面に隣接する領域１１０に設けられた例について述べた。本発明は、かかる実施形態に限定されるものではない。例えば、図１２に示すように、凹凸部４０９ａ〜４０９ｃが電池４０７の上下面にそれぞれ設けられ、可動部等が電池室１０４の下面に隣接する領域４１１に設けられた場合でも、同様の作用・効果が得られる。
【００４４】
第５および第６の実施形態（図７および図８）では、報知部５０８がスピーカ５０８ａおよびＬＥＤ５０８ｂの双方を有する例について述べた。本発明は、かかる実施形態に限定されるものではない。例えば、報知部５０８がスピーカ５０８ａおよびＬＥＤ５０８ｂのいずれか一方のみを有する構成としてもよい。
以上、本発明について詳細に説明してきたが、前述の実施形態およびその変形例は発明の一例に過ぎず、本発明はこれらに限定されるものではない。本発明を逸脱しない範囲で変形可能であることは明らかである。
【図面の簡単な説明】
【００４５】
【図１】本発明の電池逆装填報知機構の第１の実施形態を示す分解斜視図である。
【図２】第１の実施形態の電池逆装填報知機構の動作を示す説明図である。
【図３】第１の実施形態の電池逆装填報知機構の動作を示す説明図である。
【図４】本発明の電池逆装填報知機構の第２の実施形態を示す分解斜視図である。
【図５】本発明の電池逆装填報知機構の第３の実施形態を示す分解斜視図である。
【図６】本発明の電池逆装填報知機構の第４の実施形態を示す分解斜視図である。
【図７】本発明の電池逆装填報知機構の第５の実施形態を示す説明図である。
【図８】本発明の電池逆装填報知機構の第６の実施形態を示す説明図である。
【図９】第１の実施形態の電池逆装填報知機構の変形例を示す分解斜視図である。
【図１０】第２の実施形態の電池逆装填報知機構の変形例を示す分解斜視図である。
【図１１】第３の実施形態の電池逆装填報知機構の変形例を示す分解斜視図である。
【図１２】第４の実施形態の電池逆装填報知機構の変形例を示す分解斜視図である。
【符号の説明】
【００４６】
１００〜６００  電池逆装填報知機構
１０２〜４０２  電子機器
１０４、３０４、５０４  電池室
１０４ａ、１０４ｂ、５０４ａ〜５０４ｄ  電池接点
１０４ｃ  装填口
１０６、、１０７、３０６、３０７、４０６、４０７、５０６  電池
１０６ａ、１０６ｂ、３０６ａ、５０６ａ、５０６ｂ  電極端子
１０６ｃ、４０６ｃ  後面
１０８、、１０９、４０８ａ〜４０８ｃ、４０９ａ〜４０９ｃ  凹凸部
１１０、１１１、２１０、２１１、２３０、３１１、４１１  領域
１１２  可動部
１１２ａ  回軸軸
１１２ｂ、３１２ｂ  凸部
１１２ｃ  衝突片
１１４  付勢部材
１１６  振動部
２２０  電池押さえ機構
３１２ｄ  リード線
４３０ａ〜４３０ｄ  辺部
５０２、６０２  デジタルカメラ
５０８  報知部
５０８ａ  スピーカ
５０８ｂ  ＬＥＤ
５０８ｃ  報知部制御回路
５１０  カメラ制御回路
６１２  閃光発光部
Ａ  中心軸
Ｃｍ  メインコンデンサ
【図１】
2005197077.tif 000003
【図２】
2005197077.tif 000004
【図３】
2005197077.tif 000005
【図４】
2005197077.tif 000006
【図５】
2005197077.tif 000007
【図６】
2005197077.tif 000008
【図７】
2005197077.tif 000009
【図８】
2005197077.tif 000010
【図９】
2005197077.tif 000011
【図１０】
2005197077.tif 000012
【図１１】
2005197077.tif 000013
【図１２】
2005197077.tif 000014